(57)【要約】      （修正有）【課題】管理者レベル、異常事態レベルにより通報先を決め、プラント異常事態の収拾と拡大を防げるプラント遠隔監視制御装置を提供する。【解決手段】プラント機場のプラント情報を、広域通信網を介し監視制御サーバ３Ａに格納し、緊急性、重要性及び管理者レベル情報で通報管理者を特定し、メールサーバ４Ａにプラント異常事態情報を通報し、インターネット２を介して特定された管理者携帯端末、管理端末にプラント異常状態をメール通報する。管理者は、メール添付ＵＲＬにアクセスし、Ｗｅｂサーバ５Ａが監視閲覧を許可し、遠隔管理者が監視グラフィック画面でプラント機場状況を把握し、プラント機器の運転／停止操作を行うことにより、異常事態の収拾と拡大を迅速かつ未然に防ぐ事ができる。【選択図】図１
2014233060.tif 000002
【特許請求の範囲】
【請求項１】
各所に点在するプラント機場群と、
前記プラント機場群との情報授受を行うプログラマブルロジックコントローラ（Ｐｒｏｇｒａｍｍａｂｌｅ  Ｌｏｇｉｃ  Ｃｏｎｔｒｏｌｌｅｒ）（以下ＰＬＣとする。）群と、
前記ＰＬＣ群と情報通信を行う広域ネットワークと、
前記広域ネットワークを介して前記プラント機場群との情報授受を行う監視制御サーバと、
前記プラント機場群の情報から前記監視制御サーバが特定した情報を特定した管理者へメール通報を送信するメールサーバと、
前記メールサーバからメール通報を送信するインターネットと、
前記インターネットからメール通報を送信する通信事業者群と、
前記通信事業者群からメール通報を受信する管理者が携帯する携帯端末群と、
前記携帯端末群でメール表示されたＵＲＬ情報を受信するＷｅｂサーバとからなるプラント遠隔監視制御装置であって、
前記ＰＬＣ群の入出力処理で得られた情報を、前記広域ネットワークの通信を介して、前記監視制御サーバの構成要素である監視制御ＨＭＩ・情報変換・入出力処理手段にて前記監視制御サーバの構成要素である入出力情報ＤＢに格納し、また、前記監視制御ＨＭＩ・情報変換・入出力処理手段にて前記入出力情報ＤＢから少なくとも履歴表示、ヒストリカルトレンド表示、帳票表示に必要な機器状態、機器故障、工学単位変換プロセス値、積算値情報を前記監視制御サーバの構成要素である履歴情報ＤＢに格納し、少なくともログイン操作、アラーム一覧表示、タグ管理、グラフィック表示、履歴表示、トレンド表示、帳票表示設定機能に必要な情報を、前記監視制御ＨＭＩ・情報変換・入出力処理手段にて設定情報ＤＢに格納し、前記監視制御ＨＭＩ・情報変換・入出力処理手段が前記入出力情報ＤＢ、前記履歴情報ＤＢと前記設定情報ＤＢから情報の緊急性、重要性を特定し、併せて通報する管理者を特定し、前記監視制御サーバの構成要素であるメール配信情報処理手段にて、前記メールサーバに通報し、前記メールサーバの構成要素であるメール配信処理手段で前記特定された管理者の携帯端末群に対して、プラントの異常状態をメールにて通報し、受信した管理者は、その通報メールに添付されたＵＲＬにログインＩＤとパスワードを付加してアクセスし、前記Ｗｅｂサーバは前記監視制御ＨＭＩ処理手段にて前記設定情報ＤＢで閲覧が可能な管理者を特定し監視閲覧を許可し、さらに異常事態を敏速に収拾及び未然に回避するために、前記特定された管理者の携帯端末から、グラフィック画面表示でプラント機場の現在の状況を把握し、プラントの機器の運転／停止操作を行う事が出来る監視制御ＨＭＩ・情報変換・入出力処理手段を備えたことを特徴とするプラント遠隔監制御装置。
【請求項２】
請求項１に記載のプラント遠隔監視制御装置において、
プラント維持管理者や運用管理者が持っている、プラントの維持管理や運用管理に有用なノウハウ情報を掲示板機能を利用して、コミュニケーションを踏まえて伝えたい内容を掲示板に掲載し、監視制御サーバの監視制御ＨＭＩ・情報変換・入出力処理手段にて、そのテキスト内容が過去にはない情報かどうかを判別して、ノウハウの共有化及び適正化を図るために前記掲示板機能などでコミュニケーションを踏まえて伝えたい内容を格納する掲示板情報ＤＢを備え、前記掲示板情報ＤＢを他のプラント維持管理者や運用管理者が有効活用することで、プラントの維持管理及び運用管理を支援することが可能な機能を有することを特徴とするプラント遠隔監視制御装置。
【請求項３】
請求項２に記載のプラント遠隔監視制御装置において、
プラントの維持管理者や運用管理者が行った制御設定値やパラメータの設定や設備の運転停止操作、メンテナンスやリニューアルのタイミングの判断の履歴を、監視サーバの監視制御ＨＭＩ・情報交換・入出力処理手段にて、前記制御設定値やパラメータの設定や設備の運転停止操作、メンテナンスやリニューアルのタイミングの判断により、より適正で良好なプラントの維持管理や運用管理が実現できたかどうかを判定し、判断の善し悪しを学習機能によりレベルアップして格納するガイダンス情報ＤＢを備え、前記ガイダンス情報ＤＢを他のプラント維持管理者や運用管理者が有効活用する事で、プラントの維持管理や運用管理、メンテナンス管理、リニューアル管理を支援することが可能な機能を有することを特徴とするプラント遠隔監視制御装置。
【請求項４】
請求項３に記載のプラント遠隔監視制御装置において、
プラントの現在や過去の詳細状況をリアルタイムでよりビジュアルに把握するために設置されたＩＴＶカメラの映像と音声の情報を格納する映像・音声情報ＤＢを備え、前記映像・音声情報ＤＢのリアルタイム映像及び音声や、過去に録画及び録音蓄積された映像・音声情報を有効活用することで、異常事態の現状の映像や音声情報をリアルタイムで視聴可能なこと、また、前記異常事態に至った状況推移の経緯が把握出来る過去に録画及び録音蓄積された映像や音声情報により、前記異常事態の現在及び過去の状況推移の分析検討が可能なこと、さらには、請求項１のプラント維持管理者や運用管理者が持っているノウハウを格納した掲示板情報ＤＢと、請求項２のプラントや維持管理や運用管理をより適正で良好に出来るガイダンスを格納したガイダンス情報ＤＢと、前記プラントの現在や過去の詳細状況をリアルタイムでよりビジュアルに把握するために設置されたＩＴＶカメラの映像と音声の情報を格納する映像・音声情報ＤＢとから、有用で相乗効果の高いプラントの維持管理や運用管理が実現でき、プラント維持管理者や運用管理者の適正で良好なプラント維持管理や運用管理を支援できる機能を有することを特徴とするプラント遠隔監視制御装置。
【請求項５】
請求項４に記載のプラント遠隔監視制御装置において、
機器や設備の運転履歴、故障履歴、メンテナンス履歴と、ユーティリティ使用量、運用履歴、環境・気象データの情報をベースに過去に作成したプラント維持運用管理台帳及び報告書を格納する台帳・報告書情報ＤＢを備え、前記、請求項１の設定情報ＤＢ、履歴情報ＤＢ、入出力情報ＤＢ、及び請求項２の掲示板情報ＤＢ、及び請求項３のガイダンス情報ＤＢ、及び請求項４の映像・音声情報ＤＢと、前記過去に作成して蓄積されたプラント維持管理台帳及び報告書が格納された台帳・報告書情報ＤＢを有効活用することで、プラントの維持運用管理に必要な台帳や報告書の作成を支援できる機能を有することを特徴とするプラント遠隔監視制御装置。
【発明の詳細な説明】
【技術分野】
【０００１】  本発明は、プラントの遠隔監視制御装置に係わり、プラントに異常事態が発生し場合に、異常事態の収拾と拡大を未然に防ぐ監視制御サーバ、異常事態を遠隔の管理者の携帯端末に通報するメールサーバ、遠隔の管理者の携帯端末からプラントの異常状態の閲覧把握と異常事態の収拾と拡大を未然に回避するための機器の運転／停止操作などが可能なＷｅｂサーバ、インターネットから通信事業者の携帯端末網を介して繋がる遠隔の管理者用携帯端末を有するシステムの監視制御方法に関する。
【背景技術】
【０００２】  上下水道プラントや原子力発電プラントなどの大規模で公共性の高い監視制御システムにおいては、プラントの維持運用管理は万全の体制で行われているが、何らかの要因で異常事態が発生した場合には全部又は一部の機能が停止し、ライフラインである飲料水や電力の安定供給に支障をきたすことが懸念される。【０００３】  特に地震や津波など想定外の事態発生については、維持運転管理マニュアルに記載のない場合が予想され、一刻も早く異常事態が発生したプラントの維持運転管理に精通した管理者による俊敏で正確な異常分析と異常事態収拾及び拡大を防ぐための対応が必要となる。【０００４】  しかしながら、前記のような有事の異常事態発生の際に、維持運転管理に精通した管理者がその場に居ることは極めて稀で、遠方にいる管理者に異常事態をリアルタイムに正確に知らせるには、従来の電話やメールでの説明では不十分であった。【０００５】  例えば、プラントを操作する操作員の操作履歴を記憶して、操作員を自動識別すると同時に識別した操作画面を自動表示するマンマシンインタフェース装置が開示されている（例えば、特許文献１参照）。
【先行技術文献】
【特許文献】
【０００６】
【特許文献１】特開平１０−１４９２０７号公報
【発明の概要】
【発明が解決しようとする課題】
【０００７】  しかしながら、特許文献１に開示されたマンマシンインタフェース装置では、プラントの維持管理に精通した管理者に通報する手段や、通報された管理者がその異常事態情報をリアルタイムに入手して素早く対応する手段が無いため、異常事態の収拾及び拡大防止に対して、速やかに、効率よく対応できない。【０００８】  また、想定外の異常事態発生については、通常の操作員の判断では、異常事態を収拾することは出来ない。【０００９】  本発明は、上記問題点を解決するためになされたもので、管理者のレベルを考慮し、異常事態の緊急性、重要性などのランクにより、管理者の携帯端末へメール通報する際の送付先をあらかじめ決めておき、通報を受信した際にセキュリティを考慮してあらかじめ設定されたログインＩＤとパスワードを入力し、プラント最新状況を表示閲覧することで異常事態の詳細を正確に把握し、有事における管理者の的確で俊敏な対応を可能とし、プラント異常事態の収拾と拡大を未然に防げるプラント遠隔監視制御装置を得ることを目的とする。
【課題を解決するための手段】
【００１０】  上記目的を達成するために、本発明のプラント遠隔監視制御装置は、各所に点在するプラント機場群と、前記プラント機場群との情報授受を行うプログラマブルロジックコントローラ（Ｐｒｏｇｒａｍｍａｂｌｅ  Ｌｏｇｉｃ  Ｃｏｎｔｒｏｌｌｅｒ）（以下ＰＬＣとする。）群と、前記ＰＬＣ詳と情報通信を行う広域ネットワークと、前記広域ネットワークを介して前記プラント機場群との情報授受を行う監視制御サーバと、前記プラント機場群の情報から前記監視制御サーバが特定した情報を特定した管理者へメール通報を送信するメールサーバと、前記メールサーバからメール通報を送信するインターネットと、前記インターネットからメール通報を送信する通信事業者群と、前記通信事業者群からメール通報を受信する管理者が携帯する携帯端末群と、前記携帯端末群でメール表示されたＵＲＬ情報を受信するＷｅｂサーバとからなるプラント遠隔監視制御装置であって、前記ＰＬＣ群の入出力処理で得られた情報を、前記広域ネットワークの通信を介して、前記監視制御サーバの構成要素である監視制御ＨＭＩ・情報変換・入出力処理手段にて前記監視制御サーバの構成要素である入出力情報ＤＢに格納し、また、前記監視制御ＨＭＩ・情報変換・入出力処理手段にて前記入出力情報ＤＢから少なくとも履歴表示、ヒストリカルトレンド表示、帳票表示に必要な機器状態、機器故障、工学単位変換プロセス値、積算値情報を前記監視制御サーバの構成要素である履歴情報ＤＢに格納し、少なくともログイン操作、アラーム一覧表示、タグ管理、グラフィック表示、履歴表示、トレンド表示、帳票表示設定機能に必要な情報を、前記監視制御ＨＭＩ・情報変換・入出力処理手段にて設定情報ＤＢに格納し、前記監視制御ＨＭＩ・情報変換・入出力処理手段が前記入出力情報ＤＢ、前記履歴情報ＤＢと前記設定情報ＤＢから情報の緊急性、重要性を特定し、併せて通報する管理者を特定し、前記監視制御サーバの構成要素であるメール配信情報処理手段にて、前記メールサーバに通報し、前記メールサーバの構成要素であるメール配信処理手段で前記特定された管理者の携帯端末群に対して、プラントの異常状態をメールにて通報し、受信した管理者は、その通報メールに添付されたＵＲＬにログインＩＤとパスワードを付加してアクセスし、前記Ｗｅｂサーバは前記監視制御ＨＭＩ処理手段にて前記設定情報ＤＢで閲覧が可能な管理者を特定し監視閲覧を許可し、さらに異常事態を敏速に収拾及び未然に回避するために、前記特定された管理者の携帯端末から、グラフィック画面表示でプラント機場の現在の状況を把握し、プラントの機器の運転／停止操作を行う事が出来る監視制御ＨＭＩ・情報変換・入出力処理手段を備えたことを特徴としている。
【発明の効果】
【００１１】  本発明によれば、プラント遠隔監視システムは、管理者のレベルを考慮し、異常事態の緊急性、重要性などのランクにより、管理者の携帯端末へメール通報する際の送付先をあらかじめ決めておき、通報受信時の添付ＵＲＬにてプラント最新状況を表示閲覧することで異常事態の詳細を正確に把握し、有事における管理者の的確で俊敏な対応を可能とし、プラント異常事態の収拾と拡大を未然に防ぐことができる。
【図面の簡単な説明】
【００１２】
【図１】本発明によるプラント遠隔監視制御装置の第１の実施形態の構成図。
【図２】本発明によるプラント遠隔監視制御装置の第２の実施形態の構成図。
【図３】本発明によるプラント遠隔監視制御装置の第３の実施形態の構成図。
【図４】本発明によるプラント遠隔監視制御装置の第４の実施形態の構成図。
【図５】本発明によるプラント遠隔監視制御装置の第５の実施形態の構成図。
【発明を実施するための形態】
【００１３】  （第１の実施形態）
以下、本発明の第１の実施形態について図１を参照して説明する。図１は、例えば、プラント機場群７Ａ１〜７ＡＹを監視制御するためのプラント監視制御システムの構成図である。
【００１４】  プラント監視制御システムは、各所に点在するプラント機群のプラント機場Ａ７Ａ１〜プラント機場Ｙ７Ｙ１と、前記プラント機場群から監視制御に必要な情報を収集して、前記プラント監視制御に必要な情報を広域ネットワーク６を介して監視制御サーバ３Ａに配信するＰＬＣ群のＰＬＣＡ７Ａ２〜ＰＬＣ７Ｙ２と、前記ＰＬＣ群に格納されたプラント監視制御に必要な情報を監視制御サーバ３Ａへ情報通信を行う広域ネットワーク６と、広域ネットワーク６を介して得られた前記各所に点在するプラント群の監視制御に必要な情報を監視制御サーバ３Ａの監視制御ＨＭＩ・情報変換・入出力処理手段３０１にて監視制御サーバ３Ａの入出力情報ＤＢ３０４に格納し、前記入出力情報ＤＢ３０４から監視制御ＨＭＩ・情報変換・入出力処理手段３０１にてプラント監視制御に必要な履歴情報ＤＢ３０３に変換して格納し、監視制御サーバ３Ａのメール配信情報処理手段３１１にて監視制御サーバ３Ａにあらかじめ設定されているメール配信を行うかどうかを判断する管理者のレベル情報やプラント機場毎に決められた設備の異常レベルの情報からメール配信が必要かどうかを判断し、メール配信が必要であれば監視制御サーバ３Ａのメール配信処理手段３１１にてプラント機場群の異常状況情報をメールサーバ４Ａに伝送する監視制御サーバ３Ａと、メールサーバ４Ａのメール配信処理手段４０１にてインターネット２を介して繋がる通信事業者群の通信事業者Ａ２Ａ〜通信事業者Ｘ２Ｘと、管理者用携帯端末群の携帯端末Ａ１Ａ〜携帯端末Ｘ１Ｘに前記プラント機場群の異常状況の配信情報を配信するメールサーバ４Ａと、メールサーバ４Ａからインターネット６を介して情報通信される前記プラント機場群の異常状況の配信情報を前記携帯端末群に配信する前記通信事業者群と、前記プラント機場群の異常状況の配信情報を表示させ、前記携帯端末群で前記プラント機場群の異常状況の配信情報を確認して、現在の前記プラント機場群の異常状況の詳細を把握するためのプラント機場群の異常状況の配信情報メールに添付されたＵＲＬをクリックして、前記通信事業者群に繋がるインターネット６を介して、前記インターネット６に繋がるＷｅｂサーバに５Ａに閲覧要求をかける前記携帯端末群と、Ｗｅｂサーバ５Ａの監視制御ＨＭＩ処理５０１にて、監視制御サーバ３Ａの設定情報ＤＢ３０２と履歴情報ＤＢ３０３と入出力情報ＤＢ３０４を周期的にＷｅｂサーバ５Ａに格納し、前記携帯端末群の閲覧要求を受けて閲覧要求の情報に含まれた管理者のレベルからＷｅｂサーバ５Ａの監視制御ＨＭＩ処理５０１にて、管理者が閲覧可能かどうかをあらかじめ設定された設定情報ＤＢ５０２から前記閲覧要求が許可できる管理者の携帯端末かどうかを確認し、Ｗｅｂサーバ５Ａの監視制御ＨＭＩ処理手段５０１で、Ｗｅｂサーバ５Ａの入出力情報ＤＢ５０４と履歴情報ＤＢ５０３から現在のプラント機場の異常状況を表示可能な情報をＷｅｂサーバ５Ａからインターネット６を介して前記通信事業者群の前記管理者用携帯端末群に情報伝送するＷｅｂサーバ５Ａとからなる。
【００１５】  次に、各部の構成について説明する。監視制御サーバ３Ａにおいて、プラントの監視制御に必要な情報の中で、プラントの運転や故障などの状態表示、水位などのプロセス値表示のカウント値、電力量などの積算値表示及びプラントの機器の運転モードの切換や運転・停止、水位制御設定値などの操作設定を行う入出力信号情報は、プラント機場群７Ａ１〜プラント機場群７ＡＹの入出力信号情報を、プログラマブルコントローラＡ７Ａ２〜プログラマブルコントローラＹ７Ｙ２の信号入出力処理手段でプラントの信号情報を入出力し、前記プラント機場群の入出力信号情報を広域ネットワーク６を介して監視制御サーバ３Ａの監視制御ＨＭＩ・情報変換・入出力処理３０１手段にて入出力情報ＤＢ３０４に格納する。
【００１６】  監視制御サーバ３において、プラントの監視制御に必要な情報の中で、監視制御ＨＭＩ・情報変換・入出力処理３０１手段にて入出力情報ＤＢ３０４から履歴表示、ヒストリカルトレンド表示、帳票表示などに必要な機器状態、機器故障、工学単位変換プロセス値、積算値などの情報に処理を加え履歴情報ＤＢ３０３に格納する。
【００１７】  表示操作制御装置３Ｂでは、ログイン操作、アラーム一覧表示、タグ管理、グラフィック表示、履歴表示、トレンド表示、帳票表示設定などの機能に必要な情報が、設定情報ＤＢ３０２に格納されており、前記設定情報ＤＢ３０２、入出力情報ＤＢ３０４、履歴情報ＤＢ３０３とにより、前記監視制御ＨＭＩ・情報変換・入出力処理３０１手段にてプラントの表示操作制御設定を行う表示操作制御装置３Ｂの表示操作制御要求に応じた情報を監視操作制御画面３Ｂ１に表示し、管理者や運転員などのプラント機場の運転管理表示操作制御の支援を行う。
【００１８】  メールサーバ４Ａでは、入出力情報ＤＢ３０４、履歴情報ＤＢ３０３と設定情報ＤＢ３０２から、あらかじめ設定されたメール配信が必要かどうかと緊急性、重要性を確認し、併せてあらかじめ設定された管理者レベル情報を確認し、メール配信情報処理４０１手段にて、メールサーバ４Ａに通報し、あらかじめ設定された管理者データに従って、インターネット２に繋がる通信事業者携帯ネットワーク網Ａ２Ａ〜Ｘ２Ｘを介して接続される複数の管理者や運転員などがそれぞれ携帯する携帯端末Ａ１Ａ〜携帯端末Ｘ１Ｘの中で、例えば前記あらかじめ設定された管理者データにより配信先に選ばれた管理者Ａの携帯端末Ａや管理者Ｂの携帯端末Ｂなどにプラントの異常状態をメールにて通報し、配信先管理者Ａ及びＢが、その通報メールに添付されたＵＲＬにアクセスし、セキュリティを確保するためあらかじめ設定された管理者レベルごとのログインＩＤとパスワードの入力情報をＷｅｂサーバ５Ａの監視制御ＨＭＩ処理５０１手段にて設定情報ＤＢ５０２で確認して配信先管理者Ａ及び配信先管理者Ｂなど監視操作制御画面１Ａ１及び監視操作制御画面１Ｂ１への監視表示閲覧を許可し、異常事態を敏速に収拾及び回避するために、配信先管理者Ａ及び配信管理者Ｂの携帯端末Ａ１Ａ及び携帯端末Ｂ１Ｂから、Ｗｅｂサーバ５Ａの監視制御ＨＭＩ処理５０１手段にて監視操作制御画面１Ａ１及び１Ｂ１などのグラフィック画面などで、例えばプラント機場Ａ７Ａ１の現在の状況を把握し、前記配信先管理者Ａ及び配信管理者Ｂに操作権限が与えられた、例えばプラント機場Ａ７Ａ１の機器の運転／停止操作などを行う事が出来る。
【００１９】  （第２の実施形態）
本発明の第２の実施形態について図２を参照して説明する。図２は、例えば、プラント機場群７Ａ１〜７ＡＹを監視制御するための監視制御システム構成図で、実施例の各部について、図１に示す第１の実施形態の各部と同一部分は同じ番号を付し、その説明は省略する。
【００２０】  この第２の実施形態が第１の実施形態と異なる点は、プラントの監視制御機能として、掲示板表示設定機能を備えていることである。
【００２１】  この掲示板表示設定機能は、表示設定制御装置３Ｂの監視操作制御画面３Ｂ１に掲示版表示設定画面表示を追加し、併せて例えば携帯端末Ａ１Ａの監視制御画面１Ａ１に掲示版表示設定画面表示を追加し、プラント維持管理者や運用管理者などが持っている、プラントの維持管理や運用管理に有用なノウハウ情報などを掲示板機能などを利用して、コミュニケーションを踏まえて伝えたい内容を掲示板に掲載し、監視制御サーバ３Ａの監視制御ＨＭＩ・情報変換・入出力処理手段３０１にて、そのテキスト内容が過去にはない情報かどうかを判別して、ノウハウの共有化及び適正化を図るために前記掲示板機能などでコミュニケーションを踏まえて伝えたい内容を格納する掲示板情報ＤＢ３０５を備え、Ｗｅｂサーバ５Ａにも前記掲示板情報ＤＢ３０５と同一内容の開示版情報ＤＢ５０５を備え、前記掲示板情報ＤＢ３０５及び掲示板情報ＤＢ５０５に格納した維持管理者や運用管理者がプラントの監視制御で得たノウハウを他の維持管理者や運用管理者及び運転管理者や運転員などが閲覧しノウハウを共有利用することで、より多くのプラント維持管理者や運用管理者における適切で効率的なプラントの維持管理及び運用管理を支援することが出来る。
【００２２】  （第３の実施形態）
本発明の第３の実施形態について図３を参照して説明する。図３は、例えば、プラント機場群７Ａ１〜７ＡＹを監視制御するための監視制御システム構成図で、実施例の各部について、図２に示す第２の実施形態の各部と同一部分は同じ番号を付し、その説明は省略する。
【００２３】  この第３の実施形態が第２の実施形態と異なる点は、プラントの監視制御機能として、ガイダンス表示設定機能を備えていることである。
【００２４】  このガイダンス表示設定機能は、表示設定制御装置３Ｂの監視操作制御画面３Ｂ１にガイダンス表示設定画面表示を追加し、併せて例えば携帯端末Ａ１Ａの監視制御画面１Ａ１にガイダンス表示設定画面表示を追加し、監視制御サーバ３にプラント維持管理者や運用管理者などが、プラントの維持管理や運用管理、メンテナンス管理、リニューアルなどのガイダンス情報を格納するガイダンス情報ＤＢ５０６を備え、Ｗｅｂサーバ５Ａにも前記ガイダンス情報ＤＢ３０６と同一内容のガイダンス情報ＤＢ５０６を備え、前記ガイダンス情報ＤＢ３０６及びガイダンス情報ＤＢ５０６に格納した機器の運転時間や運転回数、故障回数、メンテナンス時期、内容などから、メンテナンスの時期や内容、及びリニューアルの時期提案などをガイダンスすることで、適切で効率的なプラントの維持管理及び運用管理を支援することが出来る。
【００２５】  （第４の実施形態）
本発明の第４の実施形態について図４を参照して説明する。図４は、例えば、プラント機場群７Ａ１〜７ＡＹを監視制御するための監視制御システム構成図で、実施例の各部について、図３に示す第３の実施形態各部と同一部分は同じ番号を付し、その説明は省略する。
【００２６】  この第４の実施形態が第３の実施形態と異なる点は、プラントの監視制御機能として、映像・音声情報表示設定機能を備えていることである。
【００２７】  この映像・音声表示設定機能は、表示設定制御装置３Ｂの監視操作制御画面３Ｂ１に映像・音声表示設定画面表示を追加し、併せて例えば携帯端末Ａ１Ａの監視制御画面１Ａ１に映像・音声表示設定画面表示を追加し、監視制御サーバ３にプラントの現在や過去の詳細状況をリアルタイムでよりビジュアルに把握するために設置されたＩＴＶカメラなどの映像と音声の情報を格納する映像・音声情報ＤＢを備え、前記映像・音声情報ＤＢのリアルタイム映像及び音声や、過去に録画及び録音蓄積された映像・音声情報を有効活用することで、異常事態の現状の映像や音声情報をリアルタイムで視聴可能なこと、また、前記異常事態に至った状況推移の経緯が把握出来る過去に録画及び録音蓄積された映像や音声情報により、前記異常事態の現在及び過去の状況推移の分析検討が可能なこと、さらには、請求項１のプラント維持管理者や運用管理者などが持っているノウハウを格納した掲示板情報ＤＢ３０５と、請求項２のプラントや維持管理や運用管理をより適正で良好に出来るガイダンスを格納したガイダンス情報ＤＢ３０６と、前記プラントの現在や過去の詳細状況をリアルタイムでよりビジュアルに把握するために設置されたＩＴＶカメラなどの映像と音声の情報を格納する映像・音声情報ＤＢ３０７とから、より有用で相乗効果の高いプラントの維持管理や運用管理が実現でき、プラント維持管理者や運用管理者のより適正で良好なプラント維持管理や運用管理を支援することができる。
【００２８】  （第５の実施形態）
本発明の第５の実施形態について図５を参照して説明する。図５は、例えば、プラント機場群７Ａ１〜７ＡＹを監視制御するための監視制御システム構成図で、実施例の各部について、図４に示す第４の実施形態各部と同一部分は同じ番号を付し、その説明は省略する。
【００２９】  この第５の実施形態が第４の実施形態と異なる点は、プラントの監視制御機能として、台帳・報告書情報表示設定機能を備えていることである。
【００３０】  この台帳・報告書表示設定機能は、表示設定制御装置３Ｂの監視操作制御画面３Ｂ１に台帳・報告者表示設定画面表示を追加し、併せて例えば携帯端末Ａ１Ａの監視制御画面１Ａ１に台帳・報告者表示設定画面表示を追加し、監視制御サーバ３に管理者や操作者から掲示板に情報入力された内容や、機器や設備の操作履歴、故障履歴、保守履歴、運転時間、休止時間、運転回数制御履歴、ヒストリカルトレンド、掲示板情報などの情報を元に、機器や設備の運転操作ガイダンス、制御ガイダンス、保守メンテナンスガイダンス、リニューアルガイダンスなどのプラントの維持運用管理に有用な情報や、ユーティリティ使用量、運用履歴、環境・気象データなどの情報や、機器や設備や敷地境界の映像情報、音声情報の履歴を格納する映像・音声情報などを元に作成された、プラントの運用管理に必要な台帳や報告書などを格納する台帳・報告書情報ＤＢ３０８を備え、Ｗｅｂサーバ５Ａにも前記台帳・報告書情報ＤＢ３０８と同一内容の台帳・報告書情報ＤＢ５０８を備え、さらに、前記、請求項１の設定情報ＤＢ、履歴情報ＤＢ、入出力情報ＤＢ、及び請求項２の掲示板情報ＤＢ、及び請求項３のガイダンス情報ＤＢ、及び請求項４の映像・音声情報ＤＢと、前記過去に作成して蓄積されたプラント維持管理台帳及び報告書が格納された台帳・報告書情報ＤＢを有効活用することで、プラントの維持運用管理に必要な台帳や報告書の作成を支援でき、プラントの最適化、効率化、省エネ化の検討ができる。
【符号の説明】
【００３１】１Ａ〜１Ｘ  携帯端末Ａ〜携帯端末Ｘ
２  インターネット
２Ａ〜２Ｘ  通信事業者Ａ携帯端末通信処理〜通信事業者Ｘ携帯端末通信処理
３Ａ  監視制御サーバ
３０１  監視制御ＨＭＩ・情報変換・入出力処理
３０２  設定情報ＤＢ
３０３  履歴情報ＤＢ
３０４  入出力情報ＤＢ
３０５  掲示板情報ＤＢ
３０６  ガイダンス情報ＤＢ
３０７  映像・音声情報ＤＢ
３０８  台帳・報告書情報ＤＢ
３１１  メール配信情報処理
３Ｂ  表示操作制御装置
４Ａ  メールサーバ
４０１  メール配信処理
５Ａ  Ｗｅｂサーバ
５０１  監視制御ＨＭＩ処理
５０２  設定情報ＤＢ
５０３  履歴情報ＤＢ
５０４  入出力情報ＤＢ
５０５  掲示板情報ＤＢ
５０６  ガイダンス情報ＤＢ
５０７  映像・音声情報ＤＢ
５０８  台帳・報告書情報ＤＢ
６  広域ネットワーク
７Ａ１〜７Ｙ１  プラント機場Ａ〜プラント機場Ｙ
７Ａ２〜７Ｙ２  ＰＬＣＡ〜ＰＬＣＹ
【図１】
2014233060.tif 000003
【図２】
2014233060.tif 000004
【図３】
2014233060.tif 000005
【図４】
2014233060.tif 000006
【図５】
2014233060.tif 000007